(57)【要約】【課題】  楽器ケースに対する脚部の取付作業性が良いスタンドおよびそれを備えた鍵盤楽器を提供する。【解決手段】  楽器ケース１の両側部に上下方向にスライド可能に設けられたスライド部材８と、このスライド部材８を楽器ケース１に係脱可能に位置規制する位置規制部材９と、楽器ケース１の両側下部に配置される脚部７と、この脚部７をスライド部材８に固定する固定部材１０と、を備えている。従って、スライド部材８を楽器ケース１の下側に突出させた状態で位置規制することができるので、スライド部材８を補助脚部として使用できる。また、楽器ケース１の下部に脚部７を配置した際に、スライド部材８の位置規制を解除して、脚部７をスライド部材８に固定部材１０によって楽器ケース１の横方向から容易に固定できるので、脚部７によって楽器ケース１を確実に支持できる。【選択図】        図３
2015099191.tif 000002
【特許請求の範囲】
【請求項１】
ケースの両側部に上下方向にスライド可能に設けられたスライド部材と、
このスライド部材を前記ケースの下側に突出させた状態で前記ケースに係脱可能に位置規制する位置規制部材と、
前記ケースの両側下部に配置され、前記位置規制部材による位置規制を解除して前記ケースを支持する脚部と、
この脚部を前記スライド部材に固定する固定部材と、
を備えていることを特徴とするスタンド。
【請求項２】
請求項１に記載のスタンドにおいて、前記位置規制部材は、前記スライド部材に設けられた収納部と、この収納部内に出没可能に設けられ、前記収納部内から突出した際に前記楽器ケースの下面に当接するロック片と、このロック片を前記収納部内から押し出す方向に付勢する付勢部材と、を備えていることを特徴とするスタンド。
【請求項３】
請求項１または請求項２に記載のスタンドにおいて、前記固定部材は、前記スライド部材に設けられた取付孔と、前記脚部に設けられて前記スライド部材の前記取付孔に挿入するフック部と、このフック部を前記スライド部材に締結する締結部材と、を備えていることを特徴とするスタンド。
【請求項４】
請求項３に記載のスタンドにおいて、前記固定部材は、前記スライド部材の前記取付孔に前記脚部の前記フック部を挿入させて前記取付孔から突出させることにより、前記位置規制部材による前記スライド部材の位置規制を前記脚部によって解除し、この状態で前記スライド部材をスライドさせ、このスライド部材に前記フック部を前記締結部材によって締結することを特徴とするスタンド。
【請求項５】
請求項１〜請求項４のいずれかに記載のスタンドにおいて、前記楽器ケースは複数の鍵が並列に配列された鍵盤部を備え、前記楽器ケースの下面には、スピーカボックスが下側に突出して設けられていることを特徴とするスタンド。
【請求項６】
請求項１〜請求項５のいずれかに記載されたスタンドを備えていることを特徴とする鍵盤楽器。
【発明の詳細な説明】
【技術分野】
【０００１】
この発明は、電子ピアノや電子オルガンなどの鍵盤楽器に用いられるスタンドおよびそれを備えた鍵盤楽器に関する。
【背景技術】
【０００２】
例えば、鍵盤楽器においては、特許文献１に記載されているように、楽器ケースの底部に設けられた取付孔に、脚部の上端部に取り付けられた取付金具を、楽器ケースの下側から挿入させてねじ止めすることにより、楽器ケースの両側下部に一対の脚部をそれぞれ取付金具によって取り付けるように構成されたものが知られている。
【先行技術文献】
【特許文献】
【０００３】
【特許文献１】特開２００２−２２１９６２号公報
【０００４】
この場合、脚部の上端部に取り付けられた取付金具は、金属板を逆Ｌ字状に折り曲げた構成であり、この取付金具の上部には、雌ねじ部が設けられている。楽器ケースの底部に設けられた取付孔は、脚部の取付金具が下側から挿入する大きさで上下に貫通して形成されている。また、この楽器ケースの底部における取付孔の近傍には、雌ねじ部が対応した状態でねじが挿入するねじ挿入孔が設けられている。
【０００５】
このような鍵盤楽器では、脚部の取付金具を楽器ケースの取付孔に下側から挿入し、この挿入した取付金具を取付孔内でスライドさせて、取付金具の雌ねじ部を楽器ケースの底部のねじ挿入孔に対応させ、この状態でねじを楽器ケースの下側から底部のねじ挿入孔に挿入させて取付金具の雌ねじ部に螺着することにより、楽器ケースの下部に脚部を取り付けている。
【発明の概要】
【発明が解決しようとする課題】
【０００６】
しかしながら、このような鍵盤楽器では、楽器ケースの下部に脚部を取り付ける際に、楽器ケースの下側から楽器ケースの取付孔を見ながら、この取付孔に脚部の取付金具を挿入しなければならない。また、取付孔に挿入された取付金具を、楽器ケースの下側から見ながら、脚部と共にスライドさせて、取付金具の雌ねじ部を楽器ケースのねじ挿入孔に対応させなければならない。このため、楽器ケースに対する脚部の位置合わせ作業が面倒で、作業性が悪いという問題がある。
【０００７】
また、この鍵盤楽器では、脚部に取り付けられた取付金具の雌ねじ部を楽器ケースのねじ挿入孔に対応させた状態で、楽器ケースの下側から底部のねじ挿入孔にねじを挿入させて取付金具の雌ねじ部に螺着させなければならない。このため、常に楽器ケースの下に潜り込んで脚部の取付作業をしなければならず、楽器ケースに対する脚部の取付作業が面倒で、取付作業性が極めて悪いという問題がある。
【０００８】
この発明が解決しようとする課題は、楽器ケースに対する脚部の取付作業性が良く、脚部を楽器ケースに容易に取り付けることができるスタンドおよびそれを備えた鍵盤楽器を提供することである。
【課題を解決するための手段】
【０００９】
この発明は、ケースの両側部に上下方向にスライド可能に設けられたスライド部材と、このスライド部材を前記ケースの下側に突出させた状態で前記ケースに係脱可能に位置規制する位置規制部材と、前記ケースの両側下部に配置され、前記位置規制部材による位置規制を解除して前記ケースを支持する脚部と、この脚部を前記スライド部材に固定する固定部材と、を備えていることを特徴とするスタンドである。
【発明の効果】
【００１０】
この発明によれば、ケースの両側部にスライド可能に設けられたスライド部材を、ケースの下側に突出させた状態で、位置規制部材によってケースに対して位置規制することができるので、この位置規制されたスライド部材を補助脚部として使用できる。また、ケースの下部に脚部を配置した際に、位置規制部材による位置規制を解除して、ケースを脚部によって支持することができる共に、脚部を固定部材によってスライド部材にケースの横方向から容易に固定することができる。このため、ケースに対する脚部の取付作業性が良く、脚部をケースに容易に取り付けることができる。
【図面の簡単な説明】
【００１１】
【図１】この発明を鍵盤楽器に適用した一実施形態において、一部を破断して示した正面図である。
【図２】図１に示された鍵盤楽器において、楽器ケースと脚部とを分解して示した側面図である。
【図３】図１に示された鍵盤楽器において、楽器ケースと脚部とを分解し、かつ一部を破断して示した要部の拡大正面図である。
【図４】図３に示された鍵盤楽器の楽器ケースに設けられたスライド部材およびその位置規制部材を示した要部の拡大断面図である。
【図５】図３に示された鍵盤楽器の楽器ケースの下部に脚部を配置した状態において、一部を破断して示した要部の拡大正面図である。
【図６】図５に示された鍵盤楽器のスライド部材を押し上げてねじでフック部をスライド部材に取り付けた状態において、一部を破断して示した要部の拡大正面図である。
【図７】図６に示された鍵盤楽器の脚部のフック部がスライド部材に取り付けられた状態における要部の拡大断面図である。
【発明を実施するための形態】
【００１２】
以下、図１〜図７を参照して、この発明を鍵盤楽器に適用した一実施形態について説明する。
この鍵盤楽器は、図１および図２に示すように、楽器ケース１を備えている。この楽器ケース１は、横方向（図１では左右方向）に長い箱形状に形成されている。この楽器ケース１内には、図１に示すように、鍵盤部２が上方に露呈した状態で設けられている。この鍵盤部２は、複数の鍵３が並列に配列された構成になっている。
【００１３】
また、この楽器ケース１には、図１に示すように、鍵盤部２の上方を開閉可能に覆う鍵盤蓋４が楽器ケース１内に収納可能に設けられている。この楽器ケース１の下面における両側部には、スピーカボックス５が下側に突出して設けられており、この楽器ケース１の下面における両端部には、スタンド６の脚部７がそれぞれ設けられている。これら脚部７の上下方向における中間部には、補強板１７が梁渡されている。また、これら脚部７の下部間には、フットペダル部１８が取り付けられたペダル取付板１９が設けられている。
【００１４】
スタンド６は、図１〜図４に示すように、楽器ケース１の両側部に上下方向にスライド可能に設けられたスライド部材８と、このスライド部材８を楽器ケース１の下側に突出させた状態で楽器ケース１に係脱可能に位置規制する位置規制部材９と、楽器ケース１の両側下部に配置されて位置規制部材９による位置規制を解除して楽器ケース１を支持する脚部７と、この脚部７をスライド部材８に固定する固定部材１０と、を備えている。
【００１５】
スライド部材８は、図１および図２に示すように、平板状に形成されている。すなわち、このスライド部材８は、その上下方向の長さが楽器ケース１の上下方向の長さよりも短い長さで、かつ前後方向（図２では左右方向）の長さが楽器ケース１の前後方向の長さ、つまり鍵盤部２の鍵配列方向と直交する方向における楽器ケース１の長さよりも短い長さで形成されている。
【００１６】
この場合、この楽器ケース１の両側下部には、図１〜図４に示すように、スライド部材８が挿入するスリット孔１ａが楽器ケース1の前後方向に沿って設けられている。スライド部材８は、その上部が楽器ケース１のスリット孔１ａに下側から挿入され、この挿入された上部が楽器ケース１の側部の内面に沿って上下方向にスライド可能に設けられている。この場合、スライド部材８は、その下部が楽器ケース１の下面に設けられたスピーカボックス５よりも下側に突出するように構成されている。
【００１７】
位置規制部材９は、図２〜図４に示すように、スライド部材８に設けられた収納凹部８ａと、この収納凹部８ａ内に出没可能に設けられて収納凹部８ａ内から突出した際に楽器ケース１の下面に当接するロック片１１と、このロック片１１を収納凹部８ａ内から押し出す方向に付勢するばね部材１２と、を備えている。
【００１８】
収納凹部８ａは、図２〜図４に示すように、楽器ケース１の両側下部に配置される脚部７に対面する一面（図４では右側面）におけるほぼ中央部に四角形状に設けられている。ロック片１１は、四角形の平板状に形成されている。このロック片１１は、その大きさが収納凹部８ａよりも小さい大きさに形成され、収納凹部８ａ内から楽器ケース１の下面に沿って出没可能に突出するように構成されている。
【００１９】
この場合、ロック片１１は、図４に示すように、その厚みが収納凹部８ａの深さよりも小さく形成されている。また、このロック片１１は、ばね部材１２のばね力によって収納凹部８ａ内から押し出された際に、外部側が収納凹部８ａから外部に突出し、かつ内部側が収納凹部８ａ内に収納された状態を維持するように構成されている。
【００２０】
これにより、ロック片１１は、図４に示すように、収納凹部８ａ内から突出した外部側の上端部が楽器ケース１の下面に当接し、収納凹部８ａ内に位置する内部側の下端部が収納凹部８ａ内の下面に当接することにより、スライド部材８を楽器ケース１に対して位置規制するように構成されている。
【００２１】
また、この位置規制部材９のばね部材１２は、図１〜図４に示すように、コイルばねであり、スライド部材８の収納凹部８ａ内における上下部にそれぞれ配置されている。このばね部材１２は、その一端部が収納凹部８ａ内の底面である側面に取り付けられ、他端部がロック片１１に取り付けられている。このため、ばね部材１２は、そのばね力によってロック片１１をスライド部材８の収納凹部８ａ内から押し出す方向に付勢するように構成されている。
【００２２】
これにより、位置規制部材９は、図１〜図４に示すように、ばね部材１２のばね力によってロック片１１がスライド部材８の収納凹部８ａ内から押し出されて突出した際に、この突出したロック片１１の外部の上端部が楽器ケース１の下面に当接し、収納凹部８ａ内に位置する内部の下端部が収納凹部８ａ内の下面に当接することにより、スライド部材８を楽器ケース１に対して位置規制するように構成されている。
【００２３】
また、この位置規制部材９は、図５に示すように、ロック片１１がばね部材１２のばね力に抗してスライド部材８の収納凹部８ａ内に押し込まれた際に、楽器ケース１に対するスライド部材８の位置規制を解除し、スライド部材８が楽器ケース１に対して上下方向にスライドするように構成されている。
【００２４】
脚部７は、図１〜図３に示すように、その前後方向の長さが楽器ケース１の前後方向の長さとほぼ同じ長さで、高さが高い縦長の平板状に形成されている。この脚部７は、楽器ケース１の両端下部にそれぞれ配置された状態で、スライド部材８に固定部材１０によって取り付けられるように構成されている。これにより、脚部７は、楽器ケース１の両端部を支持するように構成されている。
【００２５】
固定部材１０は、図６および図７に示すように、スライド部材８に設けられた取付孔１３と、脚部７に設けられてスライド部材８の取付孔１３に挿入するフック部１４と、このフック部１４をスライド部材８に締結するための締結部材であるねじ１６と、を備えている。
【００２６】
この場合、スライド部材８の取付孔１３は、図１〜図３に示すように、フック部１４が挿入する大きさの四角形状に形成されている。すなわち、この取付孔１３は、スライド部材８の収納凹部８ａよりも下側で、かつ図２に示すように、収納凹部８ａから両側に離れた個所において、スライド部材８にそれぞれ貫通して設けられている。
【００２７】
また、脚部７に設けられたフック部１４は、図１〜図３に示すように、金属板をほぼ７字形状に折り曲げた構成になっている。すなわち、このフック部１４は、脚部７の内側面に取り付けられる本体部１４ａと、この本体部１４ａの上端部からスライド部材８に向けて突出する突起部１４ｂと、この突起部１４ｂの先端部から下側に向けて垂下された取付片１５とを有している。
【００２８】
この場合、突起部１４ｂは、図１〜図３に示すように、その突出長さがスライド部材８の厚みとほぼ同じ長さに形成されている。また、取付片１５は、その大きさがスライド部材８の取付孔１３とほぼ同じか、それよりも少し小さく形成されている。これにより、取付片１５は、スライド部材８の取付孔１３内に挿入して、取付孔１３から脚部７と反対側に位置するスライド部材８の内側面（図３では左側面）側に突出するように構成されている。
【００２９】
また、このフック部１４は、図１〜図３に示すように、スライド部材８が位置規制部材９によって楽器ケース１の下面に当接して位置規制された状態で、脚部７が楽器ケース１の下部に配置された際に、スライド部材８の取付孔１３に対応する脚部７の個所に取り付けられている。
【００３０】
これにより、このフック部１４は、図１〜図３に示すように、スライド部材８が位置規制部材９によって楽器ケース１の下面に当接して位置規制された状態で、脚部７が楽器ケース１の下部に配置されると、図５に示すように、取付片１５がスライド部材８の取付孔１３に挿入するように構成されている。
【００３１】
また、このフック部１４は、図５に示すように、取付片１５が突起部１４ｂと共にスライド部材８の取付孔１３に挿入されて、本体部１４ａが脚部７に対面するスライド部材８の外側面（図３では右側面）に当接した際に、取付片１５が取付孔１３から脚部７と反対側に位置するスライド部材８の内側面側に突出するように構成されている。
【００３２】
さらに、このフック部１４は、図５に示すように、取付片１５が取付孔１３から脚部７と反対側に位置するスライド部材８の内側面側に突出した状態で、突起部１４ｂが取付孔１３内で上下方向に移動可能な状態となり、これに伴って取付片１５がスライド部材８の内側面に沿って上下方向に移動するように構成されている。
【００３３】
これにより、フック部１４は、図６および図７に示すように、取付片１５が取付孔１５に挿入されて突出した状態で、スライド部材８を押し上げて楽器ケース１内に向けてスライドさせた際に、突起部１４ｂが取付孔１３内を相対的に下側に移動して取付孔１３内の下面に当接し、取付片１５が取付孔１３の下側に相対的に移動してスライド部材８の内側面（図７では左側面）に対応するように構成されている。
【００３４】
このため、このフック部１４は、図６および図７に示すように、取付片１５がスライド部材８の内側面（図７では左側面）に対応した際に、取付片１５と本体部１４ａとの間にスライド部材８の取付孔１３の縁部を挟み込むことにより、脚部７をスライド部材８に対して係止し、楽器ケース１に対して脚部７を仮固定するように構成されている。
【００３５】
一方、ねじ１６は、図６および図７に示すように、フック部１４の突起部１４ｂが取付孔１３内の下面に当接して、取付片１５が取付孔１３から下側に離れてスライド部材８の内側面に対応した状態で、脚部７に対して直交する楽器ケース１の横方向から取付片１５に設けられた挿入孔１５ａを通してスライド部材８のねじ孔８ｂに螺入すると共に、ねじ１６の先端部が本体部１４ａの挿入孔１４ｃを通して脚部７に食い込むことにより、脚部７をスライド部材８に固定するように構成されている。
【００３６】
これにより、固定部材１０は、図５に示すように、フック部１４の取付片１５をスライド部材８の取付孔１３から突出させた際に、脚部７が位置規制部材９のロック片１１をばね部材１２のばね力に抗してスライド部材８の収納凹部８ａ内に押し込み、位置規制部材９によるスライド部材８の位置規制を解除することにより、スライド部材８を上下方向にスライド可能な状態にするように構成されている。
【００３７】
また、この固定部材１０は、図６および図７に示すように、位置規制部材９によるスライド部材８の位置規制が解除された状態で、スライド部材８を上方にスライドさせることにより、フック部１４の取付片１５を取付孔１３の下側に相対的に移動させてスライド部材８の内側面に対応させ、これによりフック部１４がスライド部材８の取付孔１３の縁部を挟んで係止し、脚部７をスライド部材８に仮固定するように構成されている。
【００３８】
すなわち、この固定部材１０は、図６および図７に示すように、フック部１４の取付片１５が脚部７と反対側に位置するスライド部材８の内側面に対応すると、取付片１５と本体部１４ａとの間にスライド部材８の取付孔１３の縁部が挟み込まれ、これにより脚部７がスライド部材８に対して係止されることにより、脚部７を楽器ケース１に対して仮固定するように構成されている。
【００３９】
また、この固定部材１０は、図６および図７に示すように、フック部１４の突起部１４ｂが取付孔１３内の下面に当接して、フック部１４の取付片１５が脚部７と反対側に位置するスライド部材８の内側面に対応した際に、取付片１５の挿入孔１５ａと本体部１４ａの挿入孔１４ｃとをスライド部材８のねじ孔８ｂに対応させて位置合わせし、この状態で取付片１５をねじ１６によってスライド部材８に締結することにより、脚部７をスライド部材８に固定するように構成されている。
【００４０】
次に、このような鍵盤楽器の作用について説明する。
この鍵盤楽器の楽器ケース１にスタンド６を取り付ける場合には、まず、楽器ケース１の両側下部に設けられたスリット孔１ａにスライド部材８を下側から挿入する。このときには、位置規制部材９のロック片１１がばね部材１２のばね力によってスライド部材８の収納凹部８ａ内から押し出されているので、この押し出されたロック片１１が楽器ケース１の下面に当接して、スライド部材８が楽器ケース１に対して位置規制される。
【００４１】
この状態では、スライド部材８の下端部が楽器ケース１の下面に設けられたスピーカボックス５よりも下側に突出した状態で、スライド部材８が楽器ケース１に対して位置規制されているので、このスライド部材８をテーブルなどの載置台（図示せず）上に配置することにより、スライド部材８を楽器ケース１の補助脚部として良好に使用することができる。
【００４２】
すなわち、スライド部材８をテーブルなどの載置台上に配置すると、載置台にスピーカボックス５が接触することがなく、楽器ケース１を載置台上に設置することができる。このため、特殊なスタンドを用いずに、楽器ケース１を仮置きすることができると共に、この仮置き状態で鍵盤部２を押鍵操作して良好に演奏することができる。
【００４３】
また、楽器ケース１にスライド部材８を位置規制した状態で、楽器ケース１に脚部７を取り付ける場合には、図３および図５に示すように、楽器ケース１の両端下部に脚部７を配置する。このときには、図５に示すように、脚部７のフック部１４をスライド部材８の取付孔１３に挿入する。すなわち、フック部１４の取付片１５を突起部１４ｂと共にスライド部材８の取付孔１３に挿入する。
【００４４】
これにより、スライド部材８の取付孔１３に挿入されたフック部１４によって、脚部７がスライド部材８に対して位置規制される。このため、脚部７がスライド部材８を介して楽器ケース1に対して位置決めされる。この状態で、脚部７が楽器ケース１の下部に配置されるので、この脚部７によって楽器ケース１を支持することができる。
【００４５】
このときには、スライド部材８に対面する脚部７の内面（図５では左側面）が位置規制部材９のロック片１１に当接して押圧するので、ロック片１１がばね部材１２のばね力に抗してスライド部材８の収納凹部８ａ内に押し込まれる。これにより、楽器ケース１に対するスライド部材８の位置規制が解除され、スライド部材８が上下方向にスライド可能な状態になる。
【００４６】
この状態では、図５に示すように、フック部１４の突起部１４ｂがスライド部材８の取付孔１３に挿入されて取付孔１３内の上面に当接可能な状態になる。このため、スライド部材８は、楽器ケース１の下側にスライドしても、フック部１４の突起部１４ｂがスライド部材８の取付孔１３内の上面に当接するので、楽器ケース１から脱落することがない。
【００４７】
この状態で、図６および図７に示すように、スライド部材８を楽器ケース1に対して上方にスライドさせると、フック部１４の突起部１４ｂがスライド部材８の取付孔１３内を相対的に下側に移動して、フック部１４の突起部１４ｂがスライド部材８の取付孔１３内の下面に当接する。これに伴って、フック部１４の取付片１５がスライド部材８の取付孔１３の下側に相対的に移動して、脚部７と反対側に位置するスライド部材８の内側面に対応する。
【００４８】
このときには、フック部１４の取付片１５と本体部１４ａとの間にスライド部材８の取付孔１３の縁部が挟み付けられる。このため、フック部１４によって脚部７がスライド部材８に対して係止されるので、脚部７が楽器ケース１に対して仮固定される。また、このときには、フック部１４の取付片１５の挿入孔１５ａと本体部１４ａの挿入孔１４ｃとがスライド部材８のねじ孔８ｂに対応する。
【００４９】
このように、スライド部材８を楽器ケース1に対して押し上げるだけの簡単な作業で、フック部１４の突起部１４ｂをスライド部材８の取付孔１３内の下面に当接させるだけで、取付片１５の挿入孔１５ａと本体部１４ａの挿入孔１４ｃとをスライド部材８のねじ孔８ｂに簡単にかつ正確に対応させることができる。
【００５０】
この状態で、ねじ１６を脚部７と直交する楽器ケース１の横方向から取付片１５の挿入孔１５ａに挿入させて、スライド部材８のねじ孔８ｂに螺入すると共に、ねじ１６の先端部を本体部１４ａの挿入孔１４ｃに挿入させて脚部７に食い込ませる。これにより、フック部１４がスライド部材８に固定されるので、脚部７をスライド部材８に簡単にかつ容易に固定することができる。このため、脚部７がスライド部材８を介して楽器ケース１の下部に取り付けられる。
【００５１】
このように、この鍵盤楽器のスタンド６によれば、楽器ケース１の両側部に上下方向にスライド可能に設けられたスライド部材８と、このスライド部材８を楽器ケース１の下側に突出させた状態で楽器ケース１に係脱可能に位置規制する位置規制部材９と、楽器ケース１の両側下部に配置され、位置規制部材９による位置規制を解除して楽器ケース１を支持する脚部７と、この脚部７をスライド部材８に固定する固定部材１０と、を備えているので、楽器ケース１に対する脚部７の取付作業性が良く、脚部７を楽器ケース１に容易に取り付けることができる。
【００５２】
すなわち、この鍵盤楽器のスタンド６では、楽器ケース１の両側部にスライド可能に設けられたスライド部材８を楽器ケース１の下側に突出させた状態で、位置規制部材９によってスライド部材８を楽器ケース１に対して位置規制することができる。この状態では、楽器ケース１の下部に脚部７を配置することができるので、この脚部７によって楽器ケース１を支持することができると共に、スライド部材８を介して脚部７を楽器ケース１に容易に取り付けることができる。
【００５３】
この場合、この鍵盤楽器のスタンド６では、楽器ケース１の下部に脚部７を配置すると、位置規制部材９によるスライド部材８の位置規制を脚部７によって解除することができるので、脚部７によって楽器ケース１を確実に支持することができると共に、脚部７によって楽器ケース１を支持した状態で、スライド部材８を上下方向に円滑にスライドさせることができる。
【００５４】
このため、この鍵盤楽器のスタンド６では、スライド部材８を上下方向にスライドさせることにより、スライド部材８を脚部７に対して簡単に位置合わせすることができると共に、固定部材１０によって脚部７をスライド部材８に楽器ケース1の横方向から容易にかつ確実に固定することができる。これにより、楽器ケース１に対する脚部７の取付作業性が良く、脚部７を楽器ケース１に容易に取り付けることができる。
【００５５】
また、この鍵盤楽器のスタンド６では、位置規制部材９が、スライド部材８に設けられた収納凹部８ａと、この収納凹部８ａ内に出没可能に設けられて収納凹部８ａ内から突出した際に楽器ケース１の下面に当接するロック片１１と、このロック片１１を収納凹部８ａ内から押し出す方向に付勢するばね部材１２と、を備えていることにより、スライド部材８を楽器ケース１に対して確実に位置規制することができる。
【００５６】
すなわち、この位置規制部材９は、位置規制部材９のロック片１１をばね部材１２のばね力によってスライド部材８の収納凹部８ａ内から押し出すことができ、これにより押し出されたロック片１１を楽器ケース１の下面に当接させることができるので、スライド部材８を楽器ケース１に対して簡単にかつ確実に位置規制することができる。
【００５７】
このため、この鍵盤楽器のスタンド６では、スライド部材８の下端部を楽器ケース１の下面に設けられたスピーカボックス５よりも下側に突出させた状態で、スライド部材８を位置規制することができるので、スライド部材８を楽器ケース１の補助脚部として良好に使用することができる。
【００５８】
すなわち、この鍵盤楽器のスタンド６では、楽器ケース１に設けられたスライド部材８をテーブルなどの載置台（図示せず）上に配置した際に、スピーカボックス５が載置台に接触することがなく、楽器ケース１を載置台上に設置することができるので、この状態で楽器ケース１内の鍵盤部２を押鍵操作して良好に演奏することができる。
【００５９】
また、この鍵盤楽器のスタンド６では、固定部材１０が、スライド部材８に設けられた取付孔１３と、脚部７に設けられてスライド部材８の取付孔１３に挿入するフック部１４と、このフック部１４をスライド部材８に締結するねじ１６と、を備えていることにより、脚部７に設けられたフック部１４をスライド部材８の取付孔１３に挿入し、この挿入したフック部１４をねじ１６でスライド部材８に楽器ケース1の横方向から取り付けることができるので、脚部７をスライド部材８に容易に取り付けて確実に固定することができる。
【００６０】
すなわち、この固定部材１０では、脚部７に設けられたフック部１４をスライド部材８の取付孔１３に挿入させることにより、脚部７をスライド部材８に対して位置規制することができる。また、この固定部材１０では、フック部１４をスライド部材８の取付孔１３から突出させた際に、脚部７が位置規制部材９のロック片１１をばね部材１２のばね力に抗して押圧するので、位置規制部材９によるスライド部材８の位置規制を解除することができ、これによりスライド部材８を上下方向にスライド可能な状態にすることができる。
【００６１】
このため、この固定部材１０では、位置規制部材９によるスライド部材８の位置規制が解除された状態で、スライド部材８を押し上げるだけの簡単な作業で、フック部１４を取付孔１３内で下側に相対的に移動させ、このフック部１４によってスライド部材８の取付孔１３の縁部を挟むことができるので、脚部７をスライド部材８に係止させることができ、これにより脚部７を楽器ケース１に対して仮固定することができる。
【００６２】
また、この固定部材１０では、フック部１４を取付孔１３内で下側に相対的に移動させて、脚部７と反対側に位置するスライド部材８の内側面に対応させた際に、取付片１５の挿入孔１５ａをスライド部材８のねじ孔８ｂに簡単にかつ正確に対応させて位置合わせることができる。このため、取付片１５をねじ１６によってスライド部材８に楽器ケース1の横方向から容易に締結することができ、これにより脚部７をスライド部材８に容易にかつ確実に固定することができる。
【００６３】
さらに、この鍵盤楽器では、楽器ケース１が複数の鍵３を並列に配列した鍵盤部２を備え、かつ楽器ケース１の下面にスピーカボックス５が下側に突出して設けられているので、楽器ケース１を脚部７で支持した状態で、鍵盤部２の鍵３を押鍵操作することができ、これにより良好に演奏することができると共に、スピーカボックス５から演奏に応じた楽音を良好に放音することができる。
【００６４】
この場合、楽器ケース１の下部から脚部７を取り外しても、楽器ケース１にスライド部材８が位置規制部材９によって位置規制されるので、このスライド部材８を楽器ケース１の補助脚部として良好に使用することができる。このため、楽器ケース１の下面にスピーカボックス５が下側に突出して設けられていても、上述したように、スライド部材８をテーブルなどの載置台上に配置して、良好に演奏することができる。
【００６５】
なお、上述した実施形態では、スライド部材８を楽器ケース１に対して位置規制する位置規制部材９のロック片１１をスライド部材８の収納凹部８ａ内から押し出す方向に付勢するばね部材１２として、コイルばねを用いた場合について述べたが、これに限らず、板ばねを用いても良く、またばね部材１２に限らず、ゴムなどの弾性部材を用いても良い。
【００６６】
また、上述した実施形態では、脚部７に設けられたフック部１４の取付片１５をスライド部材８に締結するための締結部材として、ねじ１６を用いた場合について述べたが、これに限らず、ボルトや割りピンなどの締結部材を用いても良い。
【００６７】
さらに、上述した実施形態では、スタンド６を鍵盤楽器の楽器ケース１に適用した場合について述べたが、これに限らず、例えば琴などの弦楽器などにも適用することができる。
【００６８】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００６９】
（付記）
請求項１に記載の発明は、ケースの両側部に上下方向にスライド可能に設けられたスライド部材と、このスライド部材を前記ケースの下側に突出させた状態で前記ケースに係脱可能に位置規制する位置規制部材と、前記ケースの両側下部に配置され、前記位置規制部材による位置規制を解除して前記ケースを支持する脚部と、この脚部を前記スライド部材に固定する固定部材と、を備えていることを特徴とするスタンドである。
【００７０】
請求項２に記載の発明は、請求項１に記載のスタンドにおいて、前記位置規制部材は、前記スライド部材に設けられた収納部と、この収納部内に出没可能に設けられ、前記収納部内から突出した際に前記楽器ケースの下面に当接するロック片と、このロック片を前記収納部内から押し出す方向に付勢する付勢部材と、を備えていることを特徴とするスタンドである。
【００７１】
請求項３に記載の発明は、請求項１または請求項２に記載のスタンドにおいて、前記固定部材は、前記スライド部材に設けられた取付孔と、前記脚部に設けられて前記スライド部材の前記取付孔に挿入するフック部と、このフック部を前記スライド部材に締結する締結部材と、を備えていることを特徴とするスタンドである。
【００７２】
請求項４に記載の発明は、請求項３に記載のスタンドにおいて、前記固定部材は、前記スライド部材の前記取付孔に前記脚部の前記フック部を挿入させて前記取付孔から突出させることにより、前記位置規制部材による前記スライド部材の位置規制を前記脚部によって解除し、この状態で前記スライド部材をスライドさせ、このスライド部材に前記フック部を前記締結部材によって締結することを特徴とするスタンドである。
【００７３】
請求項５に記載の発明は、請求項１〜請求項４のいずれかに記載のスタンドにおいて、前記楽器ケースは複数の鍵が並列に配列された鍵盤部を備え、前記楽器ケースの下面には、スピーカボックスが下側に突出して設けられていることを特徴とするスタンドである。
【００７４】
請求項６に記載の発明は、請求項１〜請求項５のいずれかに記載されたスタンドを備えていることを特徴とする鍵盤楽器である。
【符号の説明】
【００７５】
１  楽器ケース
２  鍵盤部
３  鍵
５  スピーカボックス
６  スタンド
７  脚部
８  スライド部材
８ａ  収納凹部
８ｂ  ねじ孔
９  位置規制部材
１０  固定部材
１１  ロック片
１２  ばね部材
１３  取付孔
１４  フック部
１５  取付片
１５ａ  挿入孔
１６  ねじ
【図１】
2015099191.tif 000003
【図２】
2015099191.tif 000004
【図３】
2015099191.tif 000005
【図４】
2015099191.tif 000006
【図５】
2015099191.tif 000007
【図６】
2015099191.tif 000008
【図７】
2015099191.tif 000009